(57)【要約】【課題】伝達ギア部による駆動力の伝達を円滑に行うことが可能で、かつ、サイズの大きな伝達ギア部を設計上容易に配置することが可能な表示画面旋回装置を提供する。【解決手段】この表示画面旋回装置２０は、ディスプレイ本体１０を載置する台座部３０の内部に配置されたステッピングモータ５２および伝達ギア部５１と、水平面内で回動可能でかつ垂直面に対して前後方向に回動可能にディスプレイ本体１０を支持する表示画面支持部材８１と、伝達ギア部５１と水平方向に噛合するラックギア６２とを含むラックプレート６０と、ラックプレート６０を表示画面支持部材８１に対して水平面内で回動可能に連結する連結部材６３とを備える。そして、ステッピングモータ５２の正逆回転によりラックプレート６０が水平面内で往復移動されることに伴い、ラックプレート６０に連結された連結部材６３を介して表示画面支持部材８１が垂直面に対して所定の角度前後方向に回動されるように構成されている。【選択図】図５
2008116771.tif 000002
【特許請求の範囲】
【請求項１】
表示画面部を載置するための台座部を備えた表示画面旋回装置において、
前記台座部の内部に配置された駆動源と、
前記台座部の内部に配置され、前記駆動源の駆動力が所定値を超えた場合に、前記駆動源の駆動力を遮断するトルクリミッタを含むとともに、前記駆動源の駆動軸に設けられたウォームギアを介して前記駆動源の駆動力を伝達するための伝達ギア部と、
第１の孔が設けられ、水平面内で回動可能でかつ垂直面に対して前後方向に回動可能に前記表示画面部を支持する表示画面支持部材と、
前記台座部側に配置され、前記伝達ギア部と水平方向に噛合するラックギアと、第２の孔とを含むラックプレートと、
前記第１の孔および第２の孔を介して、前記ラックプレートを前記表示画面支持部材に対して前記水平面内で回動可能に連結する連結部とをさらに備え、
前記駆動源の正逆回転により前記ラックプレートが前記水平面内で往復移動されることに伴い、前記ラックプレートに連結された前記連結部を介して前記表示画面支持部材が前記垂直面に対して所定の角度前後方向に回動されるように構成され、
前記ラックプレートは、前記水平面内での往復移動に加えて、前記表示画面支持部材の前記水平面内での回動動作に伴い、前記水平面内で揺動可能に構成され、
前記表示画面支持部材の前記第１の孔は、前記表示画面支持部材の前記水平面内での回動中心を通る垂直な線分上に設けられ、
前記ラックプレートの前記第２の孔は、前記連結部を前記水平面内で回動可能でかつ前記垂直面に対して前後方向に回動可能に支持するとともに、前記表示画面支持部材に向かう方向にしたがって孔径が広がるように前記第２の孔の内側面がテーパ形状に形成されている、表示画面旋回装置。
【請求項２】
表示画面部を載置するための台座部と、
前記台座部の内部に配置された駆動源と、
前記台座部の内部に配置され、前記駆動源の駆動力を伝達するための伝達ギア部と、
水平面内で回動可能でかつ垂直面に対して前後方向に回動可能に前記表示画面部を支持する表示画面支持部材と、
前記台座部側に配置され、前記伝達ギア部と水平方向に噛合するラックギアを含むラックプレートと、
前記ラックプレートを前記表示画面支持部材に対して前記水平面内で回動可能に連結する連結部とを備え、
前記駆動源の正逆回転により前記ラックプレートが前記水平面内で往復移動されることに伴い、前記ラックプレートに連結された前記連結部を介して前記表示画面支持部材が前記垂直面に対して所定の角度前後方向に回動されるように構成されている、表示画面旋回装置。
【請求項３】
前記ラックプレートは、前記水平面内での往復移動に加えて、前記表示画面支持部材の前記水平面内での回動動作に伴い、前記水平面内で揺動可能に構成されている、請求項２に記載の表示画面旋回装置。
【請求項４】
前記伝達ギア部は、前記駆動源の駆動力が所定値を超えた場合に、前記駆動源の駆動力を遮断するトルクリミッタを含む、請求項２または３に記載の表示画面旋回装置。
【請求項５】
前記駆動源は、前記駆動源の駆動軸に設けられたウォームギアを介して前記駆動源の駆動力を前記伝達ギア部に伝達する、請求項２〜４のいずれか１項に記載の表示画面指示装置。
【請求項６】
前記表示画面支持部材は、前記連結部が連結される第１の孔を含み、
前記表示画面支持部材の前記第１の孔は、前記表示画面支持部材の前記水平面内の回動中心を通る垂直な線分上に設けられている、請求項２〜５のいずれか１項に記載の表示画面旋回装置。
【請求項７】
前記ラックプレートは、前記連結部を前記水平面内で回動可能でかつ前記垂直面に対して前後方向に回動可能に支持する第２の孔をさらに含み、
前記ラックプレートの前記第２の孔は、前記ラックプレートと前記表示画面支持部材とが前記連結部によって連結される際に、前記表示画面支持部材に向かう方向にしたがって孔径が広がるように前記第２の孔の内側面がテーパ形状に形成されている、請求項２〜６のいずれか１項に記載の表示画面旋回装置。
【発明の詳細な説明】
【技術分野】
【０００１】
この発明は、表示画面旋回装置に関し、特に、表示画面部を載置するための台座部を備えた表示画面旋回装置に関する。
【背景技術】
【０００２】
従来、表示画面部を載置するための台座部を備えた表示画面旋回装置が知られている（たとえば、特許文献１〜３参照）。
【０００３】
上記特許文献１には、チルティングベース（台座部）の上面に固定されたチルティング駆動モータと、チルティングギア列（伝達ギア部）と、プロジェクションテレビ本体（表示画面部）の底部にギア部が下向きとなるように固定された円弧状のラックギアとを含んだチルト機構（表示画面旋回装置）と、プロジェクションテレビ本体の底部に回転可能に設けられた複数のチルティング用ローラと、チルティングベース（台座部）の上面に設けられたチルティングガイドとを備えたプロジェクションテレビ（表示装置）が開示されている。この特許文献１に記載のプロジェクションテレビ（表示装置）では、複数のチルティング用ローラがチルティングガイドの溝部に回転可能に嵌め込まれた状態で、プロジェクションテレビ本体（表示画面部）がチルティングベース（台座部）上に載置されるとともに、チルティング駆動モータの駆動力がラックギアの下方に位置するチルティングギア列（伝達ギア部）を介して、ラックギアに伝達されることによって、プロジェクションテレビ本体（表示画面部）がチルティングベース（台座部）上を上下方向に旋回することが可能に構成されている。
【０００４】
また、上記特許文献２および３には、溝部を有するとともに横長形状に形成され、ディスプレイの背面側下部に設けられた支持プレートをディスプレイとともに上下方向に回動可能に支持する支持枠と、支持枠上に直立する方向に取り付けられた減速機（伝達ギア部）および電動モータと、一方端部が減速機（伝達ギア部）側の駆動軸に固定された回動アームと、一方端部が支持プレート側に回動可能に結合された連結アームとを含んだチルト機構を備えたディスプレイ用電動回転機構が開示されている。この特許文献２および３に記載のディスプレイ用電動回転機構では、回動アームおよび連結アームの他方端部同志が軸部材によって回動可能に結合されるとともに、電動モータの駆動力が減速機（伝達ギア部）を介して、回動アーム、連結アームおよび支持プレートの順に伝達されることによって、ディスプレイ（表示画面部）が支持プレートとともに支持枠上を上下方向に旋回することが可能に構成されている。
【０００５】
【特許文献１】特開平６−２２５２４５号公報
【特許文献２】特開２００４−２５８０５５号公報
【特許文献３】特開２００４−３０４６７９号公報
【発明の開示】
【発明が解決しようとする課題】
【０００６】
しかしながら、上記特許文献１に記載のチルト機構（表示画面旋回装置）を備えたプロジェクションテレビ（表示装置）では、プロジェクションテレビ本体（表示画面部）の自重が、チルティング用ローラおよびチルティングガイドを介してチルティングベース（台座部）に加わる一方、ラックギアが上方からチルティングギア列（伝達ギア部）に覆い被さるように噛合しているために、チルティングギア列（伝達ギア部）にもプロジェクションテレビ本体（表示画面部）からの荷重が加えられていると考えられる。したがって、チルティングギア列（伝達ギア部）はプロジェクションテレビ本体（表示画面部）から加えられる荷重に起因して、チルティングギア列（伝達ギア部）による駆動力の伝達を円滑に行うのが困難になるという問題点がある。
【０００７】
また、上記特許文献２および３に記載のディスプレイ用電動回転機構では、減速機（伝達ギア部）は、ディスプレイ（表示画面部）の旋回動作を滑らかに行うために、高い回転速度で駆動する電動モータに対して、ギア比の大きなギアを複数組み合わせて低い回転速度まで減速させるように設計されていると考えられる。したがって、電動モータを含めた減速機（伝達ギア部）の部材サイズを考慮した場合、減速機（伝達ギア部）および電動モータを横長の支持枠上に直立して設けるような配置構成は、設計上の困難さを有するという問題点がある。
【０００８】
この発明は、上記のような課題を解決するためになされたものであり、この発明の１つの目的は、伝達ギア部による駆動力の伝達を円滑に行うことが可能で、かつ、サイズの大きな伝達ギア部を設計上容易に配置することが可能な表示画面旋回装置を提供することである。
【課題を解決するための手段および発明の効果】
【０００９】
この発明の第１の局面による表示画面旋回装置は、表示画面部を載置するための台座部を備えた表示画面旋回装置において、台座部の内部に配置された駆動源と、台座部の内部に配置され、駆動源の駆動力が所定値を超えた場合に、駆動源の駆動力を遮断するトルクリミッタを含むとともに、駆動源の駆動軸に設けられたウォームギアを介して駆動源の駆動力を伝達するための伝達ギア部と、第１の孔が設けられ、水平面内で回動可能でかつ垂直面に対して前後方向に回動可能に表示画面部を支持する表示画面支持部材と、台座部側に配置され、伝達ギア部と水平方向に噛合するラックギアと、第２の孔とを含むラックプレートと、第１の孔および第２の孔を介して、ラックプレートを表示画面支持部材に対して水平面内で回動可能に連結する連結部とをさらに備え、駆動源の正逆回転によりラックプレートが水平面内で往復移動されることに伴い、ラックプレートに連結された連結部を介して表示画面支持部材が垂直面に対して所定の角度前後方向に回動されるように構成され、ラックプレートは、水平面内での往復移動に加えて、表示画面支持部材の水平面内での回動動作に伴い、水平面内で揺動可能に構成され、表示画面支持部材の第１の孔は、表示画面支持部材の水平面内での回動中心を通る垂直な線分上に設けられ、ラックプレートの第２の孔は、連結部を水平面内で回動可能でかつ垂直面に対して前後方向に回動可能に支持するとともに、表示画面支持部材に向かう方向にしたがって孔径が広がるように第２の孔の内側面がテーパ形状に形成されている。
【００１０】
この第１の局面による表示画面旋回装置では、上記のように、台座部の内部に配置された駆動源と、台座部の内部に配置され、駆動源の駆動力を伝達するための伝達ギア部とを備えるように構成することによって、小型化が困難な伝達ギア部と伝達ギア部の駆動源とを共に台座部の内部に収納することができるので、サイズの大きな伝達ギア部を設計上容易に配置することができる。また、水平面内で回動可能でかつ垂直面に対して前後方向に回動可能に表示画面部を支持する表示画面支持部材と、台座部側に配置され、伝達ギア部と水平方向に噛合するラックギアを含むラックプレートと、ラックプレートを表示画面支持部材に対して水平面内で回動可能に連結する連結部とを備え、駆動源の正逆回転によりラックプレートが水平面内で往復移動されることに伴い、ラックプレートに連結された連結部を介して表示画面支持部材が垂直面に対して所定の角度前後方向に回動されるように構成することによって、表示画面部の自重は、表示画面部の静止時および旋回動作時に関係なく、表示画面支持部材に加えられる一方、ラックプレートおよびラックギアを介して水平方向に噛合された伝達ギア部へは加えられないので、伝達ギア部による駆動力の伝達を円滑に行うことができる。
【００１１】
また、第１の局面による表示画面旋回装置では、ラックプレートを、水平面内での往復移動に加えて、表示画面支持部材の水平面内での回動動作に伴い、水平面内で揺動可能に構成することによって、表示画面支持部材が水平面内で回動された状態で表示画面支持部材を垂直面に対して前後方向に回動させる場合も、ラックプレートを水平面内での往復移動に加えて水平面内で揺動させることができるので、ラックプレートにねじれによる変形が発生することなく、容易に、表示画面支持部材を前後方向に回動させることができる。また、伝達ギア部を、駆動源の駆動力が所定値を超えた場合に、駆動源の駆動力を遮断するトルクリミッタを含むように構成することによって、表示画面部が垂直方向に旋回している際に不意な外力などによって旋回動作が停止された場合や、旋回角度範囲の最大値に到達して旋回動作が停止された場合は、回転が継続されている駆動源の駆動力をトルクリミッタによって遮断することができるので、駆動源の駆動力が伝達ギア部に伝達されない。したがって、駆動源の駆動力が所定のトルク値を超えた場合の無理な回転に伴う伝達ギアの破損を抑制することができる。また、駆動源を、駆動源の駆動軸に設けられたウォームギアを介して駆動源の駆動力を伝達ギア部に伝達するように構成することによって、不意な外力などによって表示画面部が旋回されることに伴って伝達ギア部を構成する各ギアが順次駆動した場合でも、ギアの回転がウォームギアを回転させることはできないので、駆動源以外の駆動力によって駆動源が逆に駆動されてしまうことを抑制することができる。
【００１２】
また、第１の局面による表示画面旋回装置では、表示画面支持部材は、連結部が連結される第１の孔を含み、表示画面支持部材の第１の孔を、表示画面支持部材の水平面内の回動中心を通る垂直な線分上に設けるように構成することによって、表示画面部が水平面内で回動（旋回）された場合でも、連結部は表示画面支持部材の水平面内の回動中心上に位置するので、ラックプレートは水平面内での移動方向と交差する方向に揺動されない。また、表示画面部が水平面内で回動（旋回）された状態から、さらに垂直面に対して前後方向に回動（旋回）された場合に限り、連結部は水平面内での回動時の回動中心を基準点として表示画面部を前後方向に回動させる方向に移動（回動）を開始するので、連結部に連結されたラックプレートの揺動範囲は、連結部が移動を開始する基準点を中心に略前方向および後ろ方向にほぼ等しい範囲で移動（揺動）される。したがって、表示画面部を前後方向に回動させる際のラックプレートの水平面内での揺動範囲を最小限に抑制することができる。また、ラックプレートは、連結部を水平面内で回動可能でかつ垂直面に対して前後方向に回動可能に支持する第２の孔を含み、ラックプレートの第２の孔を、ラックプレートと表示画面支持部材とが連結部によって連結される際に、表示画面支持部材に向かう方向にしたがって孔径が広がるように第２の孔の内側面がテーパ形状に形成するように構成することによって、表示画面部が垂直面に対して前後方向に回動される際に、ラックプレートの第２の孔の内側面の形状によって、連結部は容易に垂直面に対して前後方向に回動される。したがって、ラップクレートと表示画面支持部材とが連結部によって連結された状態での表示画面支持部材の回動動作を円滑に行うことができる。
【００１３】
この発明の第２の局面による表示画面旋回装置は、表示画面部を載置するための台座部と、台座部の内部に配置された駆動源と、台座部の内部に配置され、駆動源の駆動力を伝達するための伝達ギア部と、水平面内で回動可能でかつ垂直面に対して前後方向に回動可能に表示画面部を支持する表示画面支持部材と、台座部側に配置され、伝達ギア部と水平方向に噛合するラックギアを含むラックプレートと、ラックプレートを表示画面支持部材に対して水平面内で回動可能に連結する連結部とを備え、駆動源の正逆回転によりラックプレートが水平面内で往復移動されることに伴い、ラックプレートに連結された連結部を介して表示画面支持部材が垂直面に対して所定の角度前後方向に回動されるように構成されている。
【００１４】
この第２の局面による表示画面旋回装置では、上記のように、台座部の内部に配置された駆動源と、台座部の内部に配置され、駆動源の駆動力を伝達するための伝達ギア部とを備えるように構成することによって、小型化が困難な伝達ギア部と伝達ギア部の駆動源とを共に台座部の内部に収納することができるので、サイズの大きな伝達ギア部を設計上容易に配置することができる。また、水平面内で回動可能でかつ垂直面に対して前後方向に回動可能に表示画面部を支持する表示画面支持部材と、台座部側に配置され、伝達ギア部と水平方向に噛合するラックギアを含むラックプレートと、ラックプレートを表示画面支持部材に対して水平面内で回動可能に連結する連結部とを備え、駆動源の正逆回転によりラックプレートが水平面内で往復移動されることに伴い、ラックプレートに連結された連結部を介して表示画面支持部材が垂直面に対して所定の角度前後方向に回動されるように構成することによって、表示画面部の自重は、表示画面部の静止時および旋回動作時に関係なく、表示画面支持部材に加えられる一方、ラックプレートおよびラックギアを介して水平方向に噛合された伝達ギア部へは加えられないので、伝達ギア部による駆動力の伝達を円滑に行うことができる。
【００１５】
上記第２の局面による表示画面旋回装置において、好ましくは、ラックプレートは、水平面内での往復移動に加えて、表示画面支持部材の水平面内での旋回動作に伴い、水平面内で揺動可能に構成されている。このように構成すれば、表示画面支持部材が水平面内で回動された状態で表示画面支持部材を垂直面に対して前後方向に回動させる場合も、ラックプレートを水平面内での往復移動に加えて水平面内で揺動させることができるので、ラックプレートにねじれによる変形が発生することなく、容易に、表示画面支持部材を前後方向に回動させることができる。
【００１６】
上記第２の局面による表示画面旋回装置において、好ましくは、伝達ギア部は、駆動源の駆動力が所定値を超えた場合に、駆動源の駆動力を遮断するトルクリミッタを含む。このように構成すれば、表示画面部が垂直方向に旋回している際に不意な外力などによって旋回動作が停止された場合や、旋回角度範囲の最大値に到達して旋回動作が停止された場合は、回転が継続されている駆動源の駆動力をトルクリミッタによって遮断することができるので、駆動源の駆動力が伝達ギア部に伝達されない。したがって、駆動源の駆動力が所定のトルク値を超えた場合の無理な回転に伴う伝達ギアの破損を抑制することができる。
【００１７】
上記第２の局面による表示画面旋回装置において、好ましくは、駆動源は、駆動源の駆動軸に設けられたウォームギアを介して駆動源の駆動力を伝達ギア部に伝達する。このように構成すれば、不意な外力などによって表示画面部が旋回されることに伴って伝達ギア部を構成する各ギアが順次駆動した場合でも、ギアの回転がウォームギアを回転させることはできないので、駆動源以外の駆動力によって駆動源が逆に駆動されてしまうことを抑制することができる。
【００１８】
上記第２の局面による表示画面旋回装置において、好ましくは、表示画面支持部材は、連結部が連結される第１の孔を含み、表示画面支持部材の第１の孔は、表示画面支持部材の水平面内の回動中心を通る垂直な線分上に設けられている。このように構成すれば、表示画面部が水平面内で回動（旋回）された場合でも、連結部は表示画面支持部材の水平面内の回動中心上に位置するので、ラックプレートは水平面内での移動方向と交差する方向に揺動されない。また、表示画面部が水平面内で回動（旋回）された状態から、さらに垂直面に対して前後方向に回動（旋回）された場合に限り、連結部は水平面内での回動時の回動中心を基準点として表示画面部を前後方向に回動させる方向に移動（回動）を開始するので、連結部に連結されたラックプレートの揺動範囲は、連結部が移動を開始する基準点を中心に略前方向および後ろ方向にほぼ等しい範囲で移動（揺動）される。したがって、表示画面部を前後方向に回動させる際のラックプレートの水平面内での揺動範囲を最小限に抑制することができる。
【００１９】
上記第２の局面による表示画面旋回装置において、好ましくは、ラックプレートは、連結部を水平面内で回動可能でかつ垂直面に対して前後方向に回動可能に支持する第２の孔をさらに含み、ラックプレートの第２の孔は、ラックプレートと表示画面支持部材とが連結部によって連結される際に、表示画面支持部材に向かう方向にしたがって孔径が広がるように第２の孔の内側面がテーパ形状に形成されている。このように構成すれば、表示画面部が垂直面に対して前後方向に回動される際に、ラックプレートの第２の孔の内側面の形状によって、連結部は容易に垂直面に対して前後方向に回動される。したがって、ラップクレートと表示画面支持部材とが連結部によって連結された状態での表示画面支持部材の回動動作を円滑に行うことができる。
【発明を実施するための最良の形態】
【００２０】
以下、本発明を具体化した実施形態を図面に基づいて説明する。
【００２１】
図１は、本発明の一実施形態による表示画面旋回装置が設けられた液晶テレビジョンの全体構成を示した斜視図である。図２は、図１に示した本発明の一実施形態による表示画面旋回装置が設けられた液晶テレビジョンの分解斜視図である。図３は、図１に示した本発明の一実施形態による表示画面旋回装置の平面図である。図４〜図１７は、図１に示した本発明の一実施形態による表示画面旋回装置の詳細構造を示した図である。まず、図１〜図１７を参照して、本発明の一実施形態による表示画面旋回装置２０および表示画面旋回装置２０が設けられた液晶テレビジョン１００の構造について説明する。なお、本実施形態では、表示装置の一例である液晶テレビジョンの表示画面旋回装置に本発明を適用した場合について説明する。
【００２２】
本発明の一実施形態による表示画面旋回装置２０は、図１に示すように、表示画面支持機構８０によって支持されている液晶テレビジョン１００のディスプレイ本体１０を水平面内で左右方向（矢印Ａ方向および矢印Ｂ方向）に所定の角度（本実施形態では±３０度）旋回させるとともに、垂直面に対して前後方向（矢印Ｃ方向および矢印Ｄ方向）に所定の角度（本実施形態では±１０度）傾けることを可能とするために設けられている。なお、ディスプレイ本体１０は、本発明の「表示画面部」の一例である。
【００２３】
また、表示画面旋回装置２０は、図３に示すように、表示画面支持機構８０（図２参照）によって支持されているディスプレイ本体１０（図１参照）を水平面内で左右方向（矢印Ａ方向およびＢ方向）に旋回させるための台座部３０と、台座部３０に配置された後述する旋回板３１を左右方向（図１の矢印Ａ方向およびＢ方向）に旋回させるとともに旋回板３１の旋回角度を制御する水平旋回駆動部４０と、表示画面支持機構８０（図２参照）によって支持されているディスプレイ本体１０（図２参照）を垂直面に対して前後方向（図１の矢印Ｃ方向およびＤ方向）に所定の角度だけ旋回させるとともに表示画面支持機構８０（図２参照）の旋回角度を制御する垂直旋回駆動部５０とから構成されている。
【００２４】
また、台座部３０は、図３〜図５に示すように、表示画面支持機構８０（図２参照）が取り付けられる板金製の旋回板３１と、内部に複数（本実施形態では１２個）の鋼球３２（図５参照）を所定の間隔（本実施形態では３０度間隔）で配置するとともに鋼球３２（図５参照）を回転可能に保持する樹脂製のガイド部材３３（図５参照）と、板金製のベース部材３４と、旋回板３１をベース部材３４上で回動可能に支持する金属製の支持部材（図示せず）と、後述するギア４５およびギア５５の回動軸が回動可能に挿入されるとともに、後述する垂直旋回駆動部５０のラックプレート６０が水平面内で往復動可能に挿入される樹脂製のボス部材３５と、ギア４５およびボス部材３５に挿入されるラックプレート６０の抜止用リング部材３６とから構成されている。
【００２５】
ここで、本実施形態では、垂直旋回駆動部５０は、図３および図５に示すように、複数のギア部材からなる伝達ギア部５１と、伝達ギア部５１の駆動源となるステッピングモータ５２と、台座部３０の旋回板３１上に取り付けられた表示画面支持機構８０に回動可能に設けられた後述する表示画面支持部材８１を垂直面に対して前後方向（図１の矢印Ｃ方向およびＤ方向）に回動させるためのラックプレート６０とから構成されている。また、垂直旋回駆動部５０は、図３〜図５に示すように、台座部３０の内部に配置されるように構成されている。なお、ステッピングモータ５２は、本発明の「駆動源」の一例である。
【００２６】
また、本実施形態では、ラックプレート６０は、図５に示すように、板金製のプレート部材６１と、樹脂製のラックギア６２とから構成されている。また、ラックプレート６０は、図５、図１０および図１１に示すように、連結部材６３によって、表示画面支持機構８０（図５参照）の表示画面支持部材８１に対して水平面内で回動可能に連結されている。なお、連結部材６３、は本発明の「連結部」の一例である。また、ラックプレート６０は、図５に示すように、ラックギア６２が１つのネジ９０によってプレート部材６１の下面側に取り付けられるとともに、図３に示すように、ラックギア６２が、後述するギア５５の小径ギア部５５ｂに対して水平方向に噛合するように台座部３０の旋回板３１上に配置されるように構成されている。また、プレート部材６１は、図５および図８に示すように、プレート部材６１の長手方向の一方端部近傍に、プレート部材６１の長手方向に沿って延びる長孔６１ａが設けられるとともに、プレート部材６１の長手方向の他方端部近傍に孔６１ｂが設けられている。なお、孔６１ｂは、本発明の「第２の孔」の一例である。また、図３および図４に示すように、ラックプレート６０が、プレート部材６１の長孔６１ａを介してベース部材３４に設けられたボス部材３５に挿入された際に、ラックプレート６０は、矢印Ｐ方向および矢印Ｑ方向に往復移動（スライド）可能なように構成されている。したがって、ラックプレート６０は、ステッピングモータ５２の正逆回転が伝達ギア部５１を介してラックギア６２まで伝達されることによって、旋回板３１上を矢印Ｐ方向および矢印Ｑ方向に往復移動することが可能なように構成されている。
【００２７】
また、本実施形態では、プレート部材６１の孔６１ｂは、図９に示すように、内側面６１ｃがテーパ形状に形成されているとともに、連結部材６３が挿入される方向（上向き方向）にしたがって孔径が大きくなるように形成されている。これにより、図１０および図１１に示すように、プレート部材６１と後述する表示画面支持部材８１とが連結部材６３によって連結された状態で、ラックプレート６０が水平面内で矢印Ｐ方向および矢印Ｑ方向に移動されることにより、表示画面支持部材８１が回動中心（根元部）８１ｇを中心として垂直面３５０に対して矢印Ｃ方向（図１０参照）および矢印Ｄ方向（図１１参照）に回動される際に、連結部材６３がプレート部材６１の孔６１ｂ内部において垂直面４００に対して矢印Ｘ１方向（図１０参照）および矢印Ｘ２方向（図１１参照）に回動可能となるように構成されている。このため、表示画面支持部材８１が垂直面３５０に対して容易に前後方向（矢印Ｃ方向および矢印Ｄ方向）に回動可能となる。
【００２８】
また、ラックプレート６０のプレート部材６１は、図５および図８に示すように、ラックギア６２が下面側から取り付けられる位置に、ラックギア６２の位置決め孔６１ｄおよび係合部６１ｅと、ラックギア６２を固定するためのネジ取付孔６１ｆとを含んでいる。
【００２９】
また、ラックギア６２は、図５および図１２に示すように、長手方向の一方側面部に沿って形成されるギア部６２ａと、ラックギア６２をプレート部材６１に取り付けるための固定部６２ｂと、２箇所の切り抜き部６２ｃおよび１箇所の切り欠き部６２ｄを有するとともに、ギア部６２ａおよび固定部６２ｂとを弾性変形可能に繋ぐバネ部６２ｅとから構成されている。このバネ部６２ｅは、図３に示すように、ギア部６２ａと伝達ギア部５１のギア５５（ギア部５５ｂ）とが噛合する際に、ラックプレート６０の矢印Ｐ方向および矢印Ｑ方向と、この矢印Ｐ方向および矢印Ｑ方向と交差する矢印Ｕ１方向および矢印Ｕ２方向との移動（揺動）時に、ギア部同志の噛合を円滑に行うことを可能とするために設けられている。また、ラックギア６２は、図５および図１２に示すように、固定部６２ｂの両端部近傍に上方向に凸形状の２つのボス６２ｆと、固定部６２ｂを貫通する１つのネジ挿入孔６２ｇとが設けられている。したがって、図５に示すように、ラックギア６２のボス６２ｆをプレート部材６１の位置決め孔６１ｄおよび係合部６１ｅにそれぞれ嵌め込むとともに、ネジ９０をラックギア６２のネジ挿入孔６２ｇを介してプレート部材６１のネジ取付孔６１ｆに締め込むことによって、ラックギア６２をプレート部材６１に下方から取り付けることが可能なように構成されている。
【００３０】
また、本実施形態では、伝達ギア部５１は、図３に示すように、樹脂製のギア５３と、トルクリミッタ７０と、樹脂製のギア５４と、樹脂製のギア５５とが樹脂製のギアボックス５６の内部に配置されるように構成されている。また、トルクリミッタ７０は、図３および図６に示すように、樹脂製の従動側ギア７１と、樹脂製の原動側ギア７２と、金属製のバネ部材７３（コイルバネ）とから構成されている。また、トルクリミッタ７０は、図３に示すように、ステッピングモータ５２の駆動力が所定のトルク値以下の場合に、ステッピングモータ５２の駆動力を伝達ギア部５１およびラックギア６２を介してラックプレート６０を矢印Ｐ方向および矢印Ｑ方向に往復移動させることが可能であるとともに、ステッピングモータ５２の駆動力が所定のトルク値以上となった場合は、ステッピングモータ５２の駆動力をラックプレート６０の往復動作に伝達させないような機能を有するように構成されている。
【００３１】
また、図３および図６に示すように、樹脂製のギア５３は、大径ギア部５３ａと、小径ギア部５３ｂとを一体的に含んでいる。また、樹脂製のギア５４は、大径ギア部５４ａと、小径ギア部５４ｂとを一体的に含んでいる。さらに、樹脂製のギア５５は、大径ギア部５５ａと、小径ギア部５５ｂとを一体的に含んでいる。
【００３２】
また、本実施形態では、図３および図５に示すように、ステッピングモータ５２の回転軸には、樹脂製のウォームギア５７が圧入されている。また、図３および図６に示すように、ウォームギア５７は、ギア５３の大径ギア部５３ａに対して回転軸が直交するように噛合されている。したがって、ステッピングモータ５２によって発生した駆動力は、ウォームギア５７を介してギア５３へと伝達される一方、ギア５３側およびギア５３以降のギア群によって発生した駆動力は、ウォームギア５７およびステッピングモータ５２を回転させることができないように構成されている。つまり、ウォームギア５７によってステッピングモータ５２側が発生する駆動力のみが、伝達ギア部５１へと伝達されるように構成されている。
【００３３】
また、図５および図６に示すように、ギア５３の小径ギア部５３ｂは、トルクリミッタ７０の原動側ギア７２のギア部７２ａに回転軸が平行に噛合されている。また、図５および図６に示すように、トルクリミッタ７０の従動側ギア７１のギア部７１ａは、ギア５４の大径ギア部５４ａに回転軸が平行に噛合されているとともに、ギア５４の小径ギア部５４ｂは、ギア５５の大径ギア部５５ａに回転軸が平行に噛合されている。また、図５および図６に示すように、ギア５５の小径ギア部５５ｂは、ラックギア６２のギア部６２ａに水平に噛合されている。したがって、図５および図６に示す上述のギア部材の配置関係から、ステッピングモータ５２の駆動力が、ウォームギア５７、ギア５３、トルクリミッタ７０、ギア５４、ギア５５およびラックギア６２を介してラックプレート６０へと伝達されるように構成されている。なお、図５および図６では、伝達ギア部５１の配置構成を説明するために、伝達ギア部５１およびステッピングモータ５２を内部に配置するためのギアボックス５６（図３参照）を図面から省略している。
【００３４】
また、台座部３０の旋回板３１は、図５および図１３に示すように、上面３１ａに設けられた４つのネジ取付孔３１ｂと、上面３１ａの中心部（旋回板３１の回動中心点近傍）に設けられた孔３１ｃとを含んでいる。また、図３に示すように、旋回板３１は、ベース部材３４の実質的に中央部に配置されるとともに、旋回板３１を円形状に取り囲むようにベース部材３４に設けられた複数の支持部材（図示せず）が、旋回板３１の外周面３１ｄ（図５参照）と、ガイド部材３３（図５参照）の外周面３３ａ（図５参照）とに面接触することによって回動可能に保持されている。
【００３５】
また、表示画面支持機構８０は、図２に示すように、台座部３０の旋回板３１のネジ取付孔３１ｂに４つのネジ９０によって固定されており、図１に示すように、ディスプレイ本体１０を表示画面旋回装置２０の垂直面に対して前後方向（矢印Ｃ方向およびＤ方向）に回動可能とするとともに、ディスプレイ本体１０を表示画面旋回装置２０の垂直面に対して前後方向（矢印Ｃ方向およびＤ方向）に所定の角度だけ傾斜させた状態で支持することが可能なように構成されている。
【００３６】
また、表示画面支持機構８０は、図２および図３に示すように、板金製の表示画面支持部材８１と、一対の垂直支持部材８２と、板金製の板状の支持軸８３と、板金製の抜止部材８４と、板金製の圧接板８５および８６とから構成されている。また、圧接板８５および８６には、支持軸８３を挿入するための長方形の穴部８５ａおよび８６ａがそれぞれ設けられている。また、表示画面支持部材８１は、図２に示すように、一対の垂直支持部材８２に所定のトルク以上で回動可能となるように取り付けられている。
【００３７】
また、板金製の表示画面支持部材８１は、図２に示すように、ディスプレイ本体取付部８１ａと、一対の回動部８１ｂとを一体的に含んでいる。また、表示画面支持部材８１のディスプレイ本体取付部８１ａには、４つのネジ挿入孔８１ｃが設けられている。また、表示画面支持部材８１の一対の回動部８１ｂは、ディスプレイ本体取付部８１ａの両側端部から、それぞれ、ディスプレイ本体取付部８１ａの表面に対して垂直方向に延びるように設けられている。また、図１３および図１５に示すように、一対の回動部８１ｂの回動中心部近傍には、ぞれぞれ、扇形状の穴部８１ｄが設けられている。また、表示画面支持部材８１は、図１３および図１５に示すように、ディスプレイ本体取付部８１ａから下方向に延びるとともに回動部８１ｂの外周を沿うようにアーム部８１ｅが一体的に形成されている。
【００３８】
ここで、本実施形態では、図１３および図１５に示すように、表示画面支持部材８１のアーム部８１ｅの最下部に位置するとともにアーム部８１ｅの実質的に中央部に、ラックプレート６０の孔６１ｂに挿入された連結部材６３を取り付けるための取付孔８１ｆが設けられている。なお、取付孔８１ｆは、本発明の「第１の孔」の一例である。また、連結部材６３は、図１３および図１５に示すように、表示画面支持部材８１の水平面内の左右方向（図１３の矢印Ｇ１方向および矢印Ｇ２方向）の回動中心（旋回板３１の回動中心を示す）を通る垂直な線分３００（１点鎖線）上に配置されるように、取付孔８１ｆにかしめ加工によって取り付けられている。
【００３９】
また、扇形状の穴部８１ｄは、図１３および図１４に示すように、板状の支持軸８３を挿入するために設けられている。また、扇形状の穴部８１ｄは、図１５に示すように、円心側の根元部８１ｇが上側に位置するように配置されているとともに、円心側の根元部８１ｇが支持軸８３の上面と当接される。これにより、扇形状の穴部８１ｄの根元部８１ｇが表示画面支持部材８１を介してディスプレイ本体１０の垂直荷重を受けるように構成されている。また、扇形状の穴部８１ｄは、図１４および図１５に示すように、垂直方向から前後方向（矢印Ｃ方向および矢印Ｄ方向）にそれぞれ開く角度α（本実施形態ではα＝１０度）の中心角を有する。また、表示画面支持部材８１は、板状の支持軸８３に支持された扇形状の穴部８１ｄの根元部８１ｇを回動中心にして、支持軸８３に対して扇形状の角度範囲（本実施形態では、αｘ２＝２０度）で矢印Ｃ方向および矢印Ｄ方向に回動可能となるように構成されている。すなわち、板状の支持軸８３は、表示画面支持部材８１の回動軸として機能するように構成されている。
【００４０】
また、一対の垂直支持部材８２は、図１３および図１６に示すように、それぞれ、旋回板取付部８２ａと、回動部取付部８２ｂとを含んでいる。また、垂直支持部材８２の旋回板取付部８２ａには、４つのネジ取付孔８２ｃ（図３参照）が設けられている。また、垂直支持部材８２の回動部取付部８２ｂは、旋回板取付部８２ａの一方端部から旋回板取付部８２ａの表面に対して垂直方向の上方に延びるように設けられている。
【００４１】
また、図１６に示すように、垂直支持部材８２の回動部取付部８２ｂには、穴部８２ｄが設けられている。また、穴部８２ｄは、図１３に示すように、板状の支持軸８３を挿入するために設けられている。これにより、穴部８２ｄが、表示画面支持部材８１および支持軸８３を介してディスプレイ本体１０の垂直荷重を受けるように構成されている。つまり、本実施形態では、表示画面支持部材８１の扇形状の穴部８１ｄの根元部８１ｇと、垂直支持部材８２の穴部８２ｄとによってディスプレイ本体１０の垂直荷重を受けるように構成されている。また、表示画面支持部材８１は、扇形状の穴部８１ｄの根元部８１ｇを中心にして、垂直支持部材８２に対して扇形状の角度範囲（本実施形態では、αｘ２＝２０度）で回動可能に構成されている。
【００４２】
また、板金製の板状の支持軸８３は、図１３に示すように、一対の当接部８３ａと、長方形状の穴部８３ｂとを含んでいる。支持軸８３の一対の当接部８３ａは、支持軸８３の長手方向に延びる両側面の後端部に突出するように設けられている。この当接部８３ａは、図２および図１３に示すように、表示画面支持部材８１側の圧接板８６と当接させるために設けられている。また、支持軸８３の長方形状の穴部８３ｂは、図２および図１３に示すように、抜止部材８４を挿入するために設けられている。
【００４３】
また、図１７に示すように、板金製の抜止部材８４はテーパ形状の端面部８４ａと端面部８４ｂとを含むように形成されているとともに、長手方向に延びる一方側面８４ｃに設けられた面取部８４ｄと、長手方向に延びる他方側面８４ｅに設けられた面取部８４ｆとを含むように形成されている。また、図８に示すように、抜止部材８４の一方側面８４ｃの長さＬ１は、他方側面８４ｅの長さＬ２より短く設けられ、端面部８４ａと端面部８４ｂとの距離（抜止部材８４の厚み方向Ｈ１と直交する方向Ｈ２の長さ）が、Ｌ１からＬ２へ直線的に変化するように構成されている。このように抜止部材８４がテーパ形状（クサビ形状）に形成されていることによって、図２に示すように、抜止部材８４が、板状の支持軸８３に設けられた長方形状の穴部８３ｂ（図１３参照）に挿入した際に、容易に抜け落ちることを抑制するために設けられている。また、面取部８４ｂは、抜止部材８４を支持軸８３に設けられた長方形状の穴部８３ｂ（図１３参照）に挿入しやすくするために設けられている。
【００４４】
また、水平旋回駆動部４０は、図３および図５に示すように、台座部３０上の旋回板３１を水平面内で左右方向（図１の矢印Ａ方向および矢印Ｂ方向）に回動させるための伝達ギア部４１と、伝達ギア部４１の駆動源となるステッピングモータ４２とから構成されている。また、水平旋回駆動部４０は、図３および図４に示すように、台座部３０の内部に配置されるように構成されている。また、伝達ギア部４１は、図３に示すように、樹脂製のギア４３と、トルクリミッタ７５と、樹脂製のギア４４と、樹脂製のギア４５とが樹脂製のギアボックス４６に配置されるように構成されている。
【００４５】
また、図５に示すように、ステッピングモータ４２の回転軸には、樹脂製のウォームギア４７が圧入されている。また、図５および図７に示すように、ギア４３は、大径ギア部４３ａと、小径ギア部４３ｂとを一体的に含んでいる。また、ギア４４は、大径ギア部４４ａと、小径ギア部４４ｂとを一体的に含んでいる。さらに、ギア４５は、大径ギア部４５ａと、小径ギア部４５ｂとを一体的に含んでいる。また、図３および図５に示すように、台座部３０の旋回板３１の上面３１ａには、樹脂製の旋回ギア部材４８が、４つのネジ９０によって固定されている。なお、図５および図７では、伝達ギア部４１の配置構成を説明するために、伝達ギア部４１およびステッピングモータ４２を内部に配置するためのギアボックス４６（図３参照）を図面から省略している。
【００４６】
また、図５および図７に示すように、ウォームギア４７は、ギア４３の大径ギア部４３ａに対して回転軸が直交するように噛合されているとともに、ギア４３の小径ギア部４３ｂは、トルクリミッタ７５の原動側ギア７７のギア部７７ａに回転軸が平行に噛合されている。また、図５および図７に示すように、トルクリミッタ７５の従動側ギア７６のギア部７６ａは、ギア４４の大径ギア部４４ａに回転軸が平行に噛合されているとともに、ギア４４の小径ギア部４４ｂは、ギア４５の大径ギア部４５ａに回転軸が平行に噛合されている。また、図５および図７に示すように、ギア４５の小径ギア部４５ｂは、旋回ギア部材４８の旋回ギア部４８ａに回転軸が平行に噛合されている。したがって、図５および図７に示す上述のギア部材の配置関係から、ステッピングモータ４２の駆動力が、ウォームギア４７、ギア４３、トルクリミッタ７５、ギア４４、ギア４５および旋回ギア部材４８を介して旋回板３１へと伝達されるように構成されている。
【００４７】
また、トルクリミッタ７５は、図３および図７に示すように、樹脂製の従動側ギア７６と、樹脂製の原動側ギア７７と、金属製のバネ部材７８（コイルバネ）とから構成されている。また、トルクリミッタ７５は、図３に示すように、ステッピングモータ４２の駆動力が所定のトルク値以下の場合に、ステッピングモータ４２の駆動力を伝達ギア部４１を介して台座部３０の旋回板３１に伝達することによって旋回板３１を表示画面旋回装置２０の内部で旋回させることが可能であるとともに、ステッピングモータ４２の駆動力が所定のトルク値以上となった場合は、ステッピングモータ４２の駆動力を台座部３０の旋回板３１に伝達させないような機能を有するように構成されている。
【００４８】
また、図１および図２に示すように、ディスプレイ本体１０は、樹脂製のフロントキャビネット１１と、樹脂製のリアキャビネット１２とから構成されている。また、ディスプレイ本体１０の内部には、液晶パネル１３（図４参照）が取り付けられた液晶モジュール１４（図４参照）が、フロントキャビネット１１およびリアキャビネット１２とによって取り囲まれるように構成されている。また、ディスプレイ本体１０は、表示画面支持部材８１のネジ挿入孔８１ａを介して、リアキャビネット１２のネジ取付孔（図示せず）にネジ９０が締め付けられることにより、表示画面支持部材８１に取り付けられている。また、リアキャビネット１２には、表示画面支持部材８１を覆い隠して配置するための切欠部１２ａが一体的に設けられている。また、リアキャビネット１２の外周部には、複数のネジ挿入孔１２ｂ（本実施形態では７個所）が設けられ、ネジ９１によってフロントキャビネット１１に取り付けられるように構成されている。また、リアキャビネット１２の側面部１２ｃには、図２に示すように、短形状の凹部１２ｄが形成されており、その凹部１２ｄには、複数の貫通孔１２ｅが形成されている。この複数の貫通孔１２ｅは、液晶モジュール１３を制御するための制御基板（図示せず）に接続されたＡＶ端子（図示せず）からケーブル類をディスプレイ本体１０の外部機器に接続するために設けられている。
【００４９】
また、表示画面旋回装置２０には、図１および図４に示すように、樹脂製のカバー部材２１が、台座部３０のベース部材３４の下面側から挿入されたネジ（図示せず）によってベース部材３４に取り付けられている。また、図１および図４に示すように、樹脂製のカバー部材２２が上方から台座部３０を覆うとともに、台座部３０の旋回板３１と一体的に矢印Ａ方向（図１参照）および矢印Ｂ方向（図１参照）に旋回することが可能なように旋回板３１の上面３１ａにネジ（図示せず）によって取り付けられている。また、図２および図４に示すように、樹脂製のカバー部材２２には、表示画面支持機構８０（表示画面支持部材８１）を前後方向（図４の矢印Ｃ方向およびＤ方向）に回動可能に配置するための切欠部２２ａが設けられている。
【００５０】
図１８〜図２８は、図１に示した本発明の本実施形態による表示画面旋回装置の垂直方向および水平方向の旋回動作を説明するための図である。次に、図１、図３、図４、図６、図７、図１３、図１４および図１８〜図２８を参照して、本実施形態による表示画面旋回装置２０の前後方向および左右方向の旋回動作について説明する。
【００５１】
なお、図４に示すように、表示画面旋回装置２０が表示画面支持機構８０を垂直面に対して前後方向（矢印Ｃ方向および矢印Ｄ方向）に回動させた場合、ディスプレイ本体１０の液晶パネル１３は、上向き方向（上方向）および下向き方向（下方向）に回動されるので、以降の動作説明では、前後方向を上下方向として記述する。
【００５２】
まず、表示画面旋回装置２０の上下方向（図１の矢印Ｃ方向および矢印Ｄ方向）の旋回動作について説明する。
【００５３】
図３および図４に示すように、表示画面支持部材８１が台座部３０上の旋回板３１に対して垂直であるとともに正面を向いた状態（図３の旋回ギア部材４８の旋回ギア部４８ａの中央部がギア４５の小径ギア部４５ｂと噛合している状態）から、ユーザが付属リモコン（図示せず）の上方向チルトボタン（図示せず）を押圧することによって、ディスプレイ本体１０（図４参照）を上方向（図４の矢印Ｃ方向）に旋回させる信号がディスプレイ本体１０の制御回路部（図示せず）に送信される。この信号に基づいて、表示画面旋回装置２０（図３参照）のステッピングモータ５２（図３参照）が駆動される。具体的には、図３に示すように、ステッピングモータ５２が駆動するのに伴って、ステッピングモータ５２に取り付けられたウォームギア５７が矢印Ｅ１方向（図６参照）に回転するとともに、ギア５３を介してトルクリミッタ７０の原動側ギア７２が矢印Ｅ３方向に回転する。そして、図３に示すように、トルクリミッタ７０の従動側ギア７１が同じく矢印Ｅ３方向に回転するとともに、ギア５４を介してギア５５が矢印Ｅ５方向に回転する。
【００５４】
ここで、本実施形態では、図３に示すように、ギア５５の矢印Ｅ５方向への回転に伴い、ギア５５に対して水平方向に噛合するラックギア６２とともにラックプレート６０のプレート部材６１が矢印Ｐ方向に移動を開始する。これにより、図４に示すように、プレート部材６１の孔６１ｂに係合された表示画面支持部材８１の連結部材６３が、矢印Ｃ方向に回動を開始するので、表示画面支持部材８１とともに表示画面支持部材８１に取り付けられたディスプレイ本体１０は、上方向（矢印Ｃ方向）へ旋回を開始する。
【００５５】
その際、図１４に示すように、表示画面支持部材８１の扇状の穴部８１ｄの根元部８１ｇと支持軸８３の上面とが当接しながら、表示画面支持部材８１が根元部８１ｇを回動中心として、矢印Ｃ方向に回動する。そして、ステッピングモータ５２（図３参照）の駆動に伴って、図１９に示すように、ディスプレイ本体１０が取り付けられた表示画面支持部材８１が所定の旋回速度で矢印Ｃ方向への旋回を継続する。
【００５６】
そして、ディスプレイ本体１０が、ユーザが所望する角度まで上方向（図４の矢印Ｃ方向）に旋回された場合、ユーザは付属リモコン（図示せず）の上方向チルトボタン（図示せず）の押圧を解除することによって、ディスプレイ本体１０（図４参照）を上方向（図４の矢印Ｃ方向）に旋回させる信号がディスプレイ本体１０の制御回路部（図示せず）に送信されなくなる。したがって、ステッピングモータ５２の駆動が停止される。これにより、表示画面支持部材８１は、図１９に示すような位置で矢印Ｃ方向への旋回を停止するとともに静止される。
【００５７】
また、ディスプレイ本体１０（図１９参照）の上方向（図１９の矢印Ｃ方向）への旋回動作がユーザによって継続されている状態において、図２０に示すように、表示画面支持部材８１の穴部８１ｄの一方縁が支持軸８３に当接することによって、表示画面支持部材８１は所定の旋回角度（本実施形態では１０度）に到達される。したがって、ディスプレイ本体１０は、図２０に示すような位置で上方向（矢印Ｃ方向）への旋回を停止するとともに、この位置で静止される。この際、ステッピングモータ５２（図１８参照）は駆動を継続しているので、ステッピングモータ５２（図１８参照）から伝達される駆動トルクがウォームギア５７（図１８参照）およびギア５３（図１８参照）を介して、トルクリミッタ７０（図１８参照）の原動側ギア７２（図１８参照）まで伝達される。
【００５８】
なお、図６に示すように、原動側ギア７２は、バネ部材７３によって予め設定された付勢力で従動側ギア７１に圧接されているために、バネ部材７３の圧接力に伴う原動側ギア７２の内周面と、従動側ギア７１の外周面との摩擦力以上の駆動トルクが原動側ギア７２に対して発生した場合は、原動側ギア７２の内周面と、従動側ギア７１の外周面とがスリップを起こすことによって、原動側ギア７２の駆動トルクが従動側ギア７１に伝達されない。つまり、図１８に示すように、ラックプレート６０の矢印Ｐ方向への移動（スライド）が停止した場合、従動側ギア７１、ギア５４およびギア５５は、原動側ギア７２の回転に関係なく回転が停止される。
【００５９】
また、図３および図４に示すように、表示画面支持部材８１が台座部３０上の旋回板３１に対して垂直であるとともに正面を向いた状態（図３の旋回ギア部材４８の旋回ギア部４８ａの中央部がギア４５の小径ギア部４５ｂと噛合している状態）から、ユーザが付属リモコン（図示せず）の下方向チルトボタン（図示せず）を押圧することによって、ディスプレイ本体１０（図４参照）を下方向（図４の矢印Ｄ方向）に旋回させる信号がディスプレイ本体１０の制御回路部（図示せず）に送信されるとともに、表示画面旋回装置２０（図３参照）のステッピングモータ５２（図３参照）が駆動される。具体的には、図３に示すように、ステッピングモータ５２が駆動するのに伴って、ステッピングモータ５２に取り付けられたウォームギア５７が矢印Ｆ１方向（図６参照）に回転するとともに、ギア５３を介してトルクリミッタ７０の原動側ギア７２が矢印Ｆ３方向に回転する。そして、図３に示すように、トルクリミッタ７０の従動側ギア７１が矢印Ｆ３方向に回転するとともに、ギア５４を介してギア５５が矢印Ｆ５方向に回転する。
【００６０】
ここで、本実施形態では、図３に示すように、ギア５５の矢印Ｅ５方向への回転に伴い、ギア５５に対して水平方向に噛合するラックギア６２とともにラックプレート６０のプレート部材６１が矢印Ｑ方向に移動を開始する。これにより、図４に示すように、ラックプレート６０の孔６１ｂに係合された連結部材６３が矢印Ｄ方向に回動を開始するので、表示画面支持部材８１とともに表示画面支持部材８１に取り付けられたディスプレイ本体１０は、所定の回転速度で下方向（矢印Ｄ方向）へ旋回を開始する。
【００６１】
その際、図１４に示すように、表示画面支持部材８１の扇状の穴部８１ｄの根元部８１ｇと支持軸８３の上面とが当接しながら、表示画面支持部材８１が根元部８１ｇを回動中心として、矢印Ｄ方向に回動を開始する。そして、ステッピングモータ５２（図３参照）の駆動に伴って、図２２に示すように、ディスプレイ本体１０が取り付けられた表示画面支持部材８１が所定の旋回速度で矢印Ｄ方向への旋回を継続する。
【００６２】
そして、ディスプレイ本体１０が、ユーザが所望する角度まで下方向（図４の矢印Ｄ方向）に旋回された場合、ユーザは付属リモコン（図示せず）の下方向チルトボタン（図示せず）の押圧を解除することによって、ディスプレイ本体１０（図４参照）を下方向（図４の矢印Ｄ方向）に旋回させる信号がディスプレイ本体１０の制御回路部（図示せず）に送信されなくなり、ステッピングモータ５２の駆動が停止される。これにより、表示画面支持部材８１は、図２２に示すような位置で矢印Ｄ方向への旋回を停止するとともに静止される。
【００６３】
また、ディスプレイ本体１０（図２２参照）の下方向（図２２の矢印Ｄ方向）への旋回動作がユーザによって継続されている状態において、図２３に示すように、表示画面支持部材８１の穴部８１ｄの他方縁が支持軸８３に当接することによって、表示画面支持部材８１は所定の旋回角度（本実施形態では１０度）に到達される。したがって、ディスプレイ本体１０は、図２３に示すような位置で下方向（矢印Ｄ方向）への旋回を停止するとともに、この位置で静止される。この際、上述と同様に、ステッピングモータ５２（図２１参照）は駆動を継続しているので、ステッピングモータ５２（図２１参照）から伝達される駆動トルクがウォームギア５７（図２１参照）およびギア５３（図２１参照）を介して、トルクリミッタ７０（図２１参照）の原動側ギア７２（図２１参照）まで伝達される。
【００６４】
なお、図６に示すように、ディスプレイ本体１０（図１９参照）が上方向（図１９の矢印Ｃ方向）で旋回動作を停止された場合と同様に、原動側ギア７２は、バネ部材７３によって予め設定された付勢力で従動側ギア７１に圧接されているために、バネ部材７３の圧接力に伴う原動側ギア７２の内周面と、従動側ギア７１の外周面との摩擦力以上の駆動トルクが原動側ギア７２に対して発生した場合は、原動側ギア７２の内周面と、従動側ギア７１の外周面とがスリップを起こすことによって、原動側ギア７２の駆動トルクが従動側ギア７１に伝達されない。つまり、図２１に示すように、ラックプレート６０の矢印Ｑ方向への移動（スライド）が停止した場合、従動側ギア７１、ギア５４およびギア５５は、原動側ギア７２の回転に関係なく回転が停止される。
【００６５】
また、上述のようにディスプレイ本体１０（図１参照）の上下方向（図１の矢印Ｃ方向および矢印Ｄ方向に±１０度）の旋回動作の際、表示画面支持部材８１および連結部材６３の回動に伴って、ラックプレート６０も、図２０および図２３に示すように、若干ではあるが、水平位置（図４に示すラックプレート６０の位置）からプレート部材６１の孔６１ｂが上方に浮き上がる方向に変位（変形）される。この際、プレート部材６１に固定されたラックギア６２もしだいに水平位置から若干浮き上がる状態に遷移するが、ラックギア６２のギア部６２ａが弾性変形可能なバネ部６２ｅによって固定部６２ｂと繋がれていることによって、ギア部６２ａはプレート部材６１の変位の影響を受けることなく、ギア５５のギア部５５ｂに対して水平方向に噛合した状態が維持されている。したがって、ラックギア６２のギア部６２ａとギア５５のギア部５５ｂとは常に適正に噛合されているので、伝達ギア部５１の駆動力が円滑にラックプレート６０に伝達される。
【００６６】
次に、表示画面旋回装置２０の水平面内における左右方向の旋回動作について説明する。
【００６７】
まず、図３および図４に示すように、表示画面支持部材８１が台座部３０上の旋回板３１に対して垂直であるとともに正面を向いた状態から、ユーザが付属リモコン（図示せず）の水平ターンボタン（図示せず）を押圧することによって、ディスプレイ本体１０（図１参照）を右方向（図１の矢印Ａ方向）に旋回させる信号がディスプレイ本体１０の制御回路部（図示せず）に送信されるとともに、表示画面旋回装置２０（図３参照）のステッピングモータ４２（図３参照）が駆動される。具体的には、図３に示すように、ステッピングモータ４２が駆動するのに伴って、ステッピングモータ４２に取り付けられたウォームギア４７が矢印Ｅ６方向（図７参照）に回転するとともに、ギア４３を介してトルクリミッタ７５の原動側ギア７７が矢印Ｅ８方向に回転する。そして、トルクリミッタ７５の従動側ギア７６が矢印Ｅ８方向に回転するとともに、ギア４４およびギア４５を介して、旋回ギア部材４８が矢印Ｅ１１方向に回転する。これにより、図３に示すように、表示画面支持部材８１が取り付けられた台座部３０上の旋回板３１が矢印Ｇ１方向に旋回を開始するので、ディスプレイ本体１０（図１参照）は、右方向（図１の矢印Ａ方向）へ旋回を開始する。
【００６８】
そして、図２４に示すように、ディスプレイ本体１０（図１参照）が載置された台座部３０上の旋回板３１が所定の回転速度で右方向（図１の矢印Ａ方向）への旋回を継続する。なお、図２４では、旋回板３１の左右方向の旋回動作を説明するために、垂直旋回駆動部５０（図３参照）を図面から省略している。
【００６９】
ここで、本実施形態では、図１３に示すように、表示画面支持部材８１の連結部材６３は、旋回板３１および表示画面支持部材８１の左右方向（矢印Ｇ１方向および矢印Ｇ２方向）の回動中心上に位置しているので、連結部材６３は、旋回板３１の旋回動作に関係なく回動中心上を移動されない。したがって、図２６に示すように、連結部材６３に係合されたラックプレート６０も、矢印Ｐ方向および矢印Ｑ方向への直線的な移動（スライド）および矢印Ｕ１方向および矢印Ｕ２方向への移動（揺動）も行われない。
【００７０】
そして、ディスプレイ本体１０が、ユーザが所望する角度まで旋回された場合、ユーザは付属リモコン（図示せず）の水平ターンボタン（図示せず）の押圧を解除することによって、ディスプレイ本体１０（図１参照）を右方向（図１の矢印Ａ方向）に旋回させる信号がディスプレイ本体１０の制御回路部（図示せず）に送信されなくなり、ステッピングモータ４２の駆動が停止される。これにより、台座部３０は、図２４に示すような位置で矢印Ｇ１方向への旋回を停止するとともに静止される。
【００７１】
また、ディスプレイ本体１０（図１参照）の右方向（図１の矢印Ａ方向）への旋回動作がユーザによって継続されている状態において、台座部３０の旋回角度が最大（本実施形態では３０度）となった場合は、旋回板３１は台座部３０の内部に設けられたストッパ部材（図示せず）に当接することによって、矢印Ａ方向（図１参照）への旋回動作が規制される。したがって、台座部３０は、図２５に示すような位置で矢印Ｇ１方向への旋回を停止するとともに静止される。この際、ステッピングモータ４２（図２５参照）は駆動を継続しているので、ステッピングモータ４２（図２５参照）から伝達される駆動トルクがウォームギア４７（図２５参照）およびギア４３（図２５参照）を介して、トルクリミッタ７５（図２５参照）の原動側ギア７７（図２５参照）まで伝達される。
【００７２】
なお、図７に示すように、原動側ギア７７は、バネ部材７８によって予め設定された付勢力で従動側ギア７６に圧接されているために、バネ部材７８の圧接力に伴う原動側ギア７７の内周面と、従動側ギア７６の外周面との摩擦力以上の駆動トルクが原動側ギア７７に対して発生した場合は、原動側ギア７７の内周面と、従動側ギア７６の外周面とがスリップを起こすことによって、原動側ギア７７の駆動トルクが従動側ギア７６に伝達されない。つまり、旋回板３１がストッパ部材（図示せず）に当接した場合は、従動側ギア７６、ギア４４、ギア４５および旋回ギア部材４８は、原動側ギア７７の回転に関係なく回転が停止される。なお、図２５では、図２４と同様に旋回板３１の左右方向の旋回動作を説明するために、垂直旋回駆動部５０（図３参照）を図面から省略している。
【００７３】
なお、上記の旋回動作は、台座部３０を図２４および図２５に示す矢印Ｇ１方向に旋回させる際について説明したが、矢印Ｇ１方向とは反対の矢印Ｇ２方向へ旋回板３１を旋回させる旋回動作の際も、水平旋回駆動部４０によって上記と同様の旋回動作が行われるために、旋回板３１が矢印Ｇ２方向へ旋回されることによって、ディスプレイ本体１０（図１参照）は左方向（図１の矢印Ｂ方向）に旋回される。
【００７４】
次に、図４に示すように、台座部３０上に垂直に載置されたディスプレイ本体１０が左右方向（図１の矢印Ａ方向および矢印Ｂ方向）に所定の角度だけ旋回された状態で、さらに、ディスプレイ本体１０（図１参照）が上下方向（図１の矢印Ｃ方向および矢印Ｄ方向）に旋回される場合の旋回動作について説明する。
【００７５】
まず、図２６に示すように、ユーザによって台座部３０上の旋回板３１が右方向（矢印Ｇ１方向）に所定の角度旋回されるとともにその位置で旋回動作が停止された状態において、付属リモコン（図示せず）の上方向チルトボタン（図示せず）を押圧することによって、上述と同様に、垂直旋回駆動部５０（図３参照）が駆動を開始する。つまり、ラックプレート６０は、図２６に示した位置から図２７に示すように、矢印Ｐ方向に移動（スライド）を開始する。なお、図２６および図２７では、ラックプレート６０および表示画面支持機構８０の連結部材６３の動作を説明するために、水平旋回駆動部４０（図３参照）および垂直旋回駆動部５０（図３参照）の一部を除いて図面から省略している。
【００７６】
ここで、本実施形態では、図２７に示すように、ラックプレート６０の矢印Ｐ方向への移動に伴って、連結部材６３も図２６に示した位置Ｒから図２７に示した位置へ徐々に矢印Ｓ方向に移動（回動）される。また、この際、ラックプレート６０は、図２６に示した位置から図２７に示すような位置まで矢印Ｕ１方向に位置が回動される。なお、図２７では回動される前の連結部材６３の位置（図２６の位置Ｒ）を２点鎖線（想像線）の外形形状として示している。したがって、図１９に示すように、ラックプレート６０の孔６１ｂに係合された連結部材６３は矢印Ｃ方向に回動されるので、表示画面支持部材８１に取り付けられたディスプレイ本体１０は、上方向（矢印Ｃ方向）へ旋回を開始する。
【００７７】
その際、図１４に示すように、表示画面支持部材８１の扇状の穴部８１ｄの根元部８１ｇと支持軸８３の上面とが当接しながら、表示画面支持部材８１が根元部８１ｇを回動中心として、矢印Ｃ方向に回動する。そして、ステッピングモータ５２（図１８参照）の駆動に伴って、図１９に示すように、ディスプレイ本体１０が取り付けられた表示画面支持部材８１が所定の旋回速度で矢印Ｃ方向への旋回を継続する。
【００７８】
そして、ディスプレイ本体１０が、ユーザが所望する角度まで上方向（図１９の矢印Ｃ方向）に旋回された場合、ユーザは付属リモコン（図示せず）の上方向チルトボタン（図示せず）の押圧を解除することによって、ディスプレイ本体１０（図１９参照）を上方向（図１９の矢印Ｃ方向）に旋回させる信号がディスプレイ本体１０の制御回路部（図示せず）に送信されなくなる。したがって、ステッピングモータ５２（図１８参照）の駆動が停止される。これにより、表示画面支持部材８１は、図１９に示すような位置で矢印Ｃ方向への旋回を停止するとともに静止される。
【００７９】
また、ディスプレイ本体１０（図１９参照）の上方向（図１９の矢印Ｃ方向）への旋回動作がユーザによって継続されている状態において、図２０に示すように、表示画面支持部材８１の穴部８１ｄの一方縁が支持軸８３に当接することによって、表示画面支持部材８１は所定の旋回角度（本実施形態では１０度）に到達される。したがって、ディスプレイ本体１０は図２０に示すような位置で上方向（矢印Ｃ方向）への旋回が停止されるとともに、この位置で静止される。このとき、図２７に示すように、ラックプレート６０は、連結部材６３（２点鎖線）の移動開始位置Ｒから矢印Ｕ１方向へ水平距離Ｌ３を移動した状態で静止される。
【００８０】
なお、ステッピングモータ５２（図１８参照）は駆動を継続しているので、ステッピングモータ５２（図１８参照）から伝達される駆動トルクがウォームギア５７（図１８参照）およびギア５３（図１８参照）を介して、トルクリミッタ７０（図１８参照）の原動側ギア７２（図１８参照）まで伝達されるが、トルクリミッタ７０（図１８参照）によって従動側ギア７１（図１８参照）には伝達されない。つまり、図１８に示すように、ラックプレート６０の矢印Ｐ方向への移動が停止した場合、従動側ギア７１、ギア５４およびギア５５は、原動側ギア７２の回転に関係なく回転が停止される。
【００８１】
また、図２５に示すように、ユーザによって台座部３０上の旋回板３１が右方向（矢印Ｇ１方向）に所定の角度旋回されるとともにその位置で旋回動作が停止された状態で、付属リモコン（図示せず）の下方向チルトボタン（図示せず）を押圧することによって、上述と同様に、垂直旋回駆動部５０が駆動を開始する。つまり、ラックプレート６０は、図２８に示すように、矢印Ｑ方向にスライドを開始する。なお、図２８では、図２７と同様に、ラックプレート６０および表示画面支持機構８０の連結部材６３の動作を説明するために、水平旋回駆動部４０（図３参照）および垂直旋回駆動部５０（図３参照）の一部を除いて図面から省略している。
【００８２】
ここで、本実施形態では、図２８に示すように、ラックプレート６０の矢印Ｑ方向への移動に伴って、連結部材６３も図２６に示した位置Ｒから図２８に示した位置へ徐々に矢印Ｔ方向に移動（回動）される。また、この際、ラックプレート６０は、図２６に示した位置から図２８に示すような位置まで矢印Ｕ２方向に位置が回動される。なお、図２８では回動される前の連結部材６３の位置（図２６の位置Ｒ）を２点鎖線（想像線）の外形形状として示している。したがって、図２２に示すように、ラックプレート６０の孔６１ｂに係合された連結部材６３が矢印Ｄ方向に回動されるので、表示画面支持部材８１に取り付けられたディスプレイ本体１０は、下方向（矢印Ｄ方向）へ旋回される。
【００８３】
その際、図１４に示すように、表示画面支持部材８１の扇状の穴部８１ｄの根元部８１ｇと支持軸８３の上面とが当接しながら、表示画面支持部材８１が根元部８１ｇを回動中心として、矢印Ｄ方向に回動する。そして、ステッピングモータ５２（図２１参照）の駆動に伴って、図２２に示すように、ディスプレイ本体１０が取り付けられた表示画面支持部材８１が所定の旋回速度で下方向（矢印Ｄ方向）への旋回を継続する。
【００８４】
そして、ディスプレイ本体１０が、ユーザが所望する角度まで下方向（図２２の矢印Ｄ方向）に旋回された場合、ユーザは付属リモコン（図示せず）の下方向チルトボタン（図示せず）の押圧を解除することによって、ディスプレイ本体１０（図２２参照）を下方向（図２２の矢印Ｄ方向）に旋回させる信号がディスプレイ本体１０の制御回路部（図示せず）に送信されなくなる。したがって、ステッピングモータ５２（図２１参照）の駆動が停止される。これにより、表示画面支持部材８１は、図２２に示すような位置で矢印Ｄ方向への旋回を停止するとともに静止される。
【００８５】
また、ディスプレイ本体１０（図２２参照）の下方向（図２２の矢印Ｄ方向）への旋回動作がユーザによって継続されている状態において、図２３に示すように、表示画面支持部材８１の穴部８１ｄの他方縁が支持軸８３に当接することによって、表示画面支持部材８１は所定の旋回角度（本実施形態では１０度）に到達される。したがって、ディスプレイ本体１０は、図２３に示すような位置で下方向（矢印Ｄ方向）への旋回を停止するとともに、この位置で静止される。このとき、図２８に示すように、ラックプレート６０は、連結部材６３（２点鎖線）の移動開始位置Ｒから矢印Ｕ２方向へ水平距離Ｌ４を移動した状態で静止される。
【００８６】
なお、前述と同様に、ステッピングモータ５２（図２１参照）は駆動を継続しているので、ステッピングモータ５２（図２１参照）から伝達される駆動トルクがウォームギア５７（図２１参照）およびギア５３（図２１参照）を介して、トルクリミッタ７０（図２１参照）の原動側ギア７２（図２１参照）まで伝達されるが、トルクリミッタ７０（図２１参照）によって従動側ギア７１（図２１参照）には伝達されない。つまり、図２１に示すように、ラックプレート６０の矢印Ｑ方向への移動が停止した場合、従動側ギア７１、ギア５４およびギア５５は、原動側ギア７２の回転に関係なく回転が停止される。
【００８７】
また、前述と同様に、ディスプレイ本体１０（図１参照）の上下方向（図１の矢印Ｃ方向および矢印Ｄ方向に±１０度）の旋回動作の際、表示画面支持部材８１および連結部材６３の回動に伴って、ラックプレート６０も、図２０および図２３に示すように、若干ではあるが、水平位置（図４に示すラックプレート６０の位置）からプレート部材６１の孔６１ｂが上方に浮き上がる方向に変位（変形）される。さらに、ラックプレート６０は、図２７および図２８に示すような位置まで、矢印Ｕ１方向および矢印Ｕ２方向に揺動される。この際、プレート部材６１に固定されたラックギア６２もしだいに水平位置から若干浮き上がる状態に遷移するとともに、ラックギア６２のギア部６２ａとギア５５のギア部５５ｂとの噛合位置も若干変化する。しかしながら、この場合も、ラックギア６２のギア部６２ａが弾性変形可能なバネ部６２ｅによって固定部６２ｂと繋がれていることによって、ギア部６２ａはプレート部材６１の３次元的な変位の影響を受けることなく、ギア５５のギア部５５ｂに対して適正な圧接力によって水平方向に噛合した状態が維持されている。したがって、ラックギア６２のギア部６２ａとギア５５のギア部５５ｂとは常に適正に噛合されているので、伝達ギア部５１の駆動力が円滑にラックプレート６０に伝達される。
【００８８】
なお、上記の表示画面支持部材８１の垂直旋回動作は、旋回部３１を図２７および図２８に示す矢印Ｇ１方向に所定の角度旋回させた状態における垂直旋回動作ついて説明したが、旋回部３１を矢印Ｇ１方向とは反対の矢印Ｇ２方向に所定の角度旋回させた状態においても、表示画面支持部材８１は垂直旋回駆動部５０によって上記と同様の旋回動作が行われることによって、ディスプレイ本体１０（図１参照）は下方向（図１の矢印Ｄ方向）に旋回される。
【００８９】
また、上記の動作説明では、台座部３０上に垂直に載置されたディスプレイ本体１０がまず左右方向（図１の矢印Ａ方向および矢印Ｂ方向）に所定の角度だけ旋回された状態にあり、次にディスプレイ本体１０（図１参照）が上下方向（図１の矢印Ｃ方向および矢印Ｄ方向）に旋回される場合の旋回動作を説明しているが、これとは反対に、先にディスプレイ本体１０（図１参照）が上下方向（図１の矢印Ｃ方向および矢印Ｄ方向）に旋回された状態で、次に左右方向（図１の矢印Ａ方向および矢印Ｂ方向）に所定の角度だけ旋回される場合についても、水平旋回駆動部４０（図３参照）および垂直旋回駆動部５０（図３参照）は上記と同様の動作を行うことによって、ディスプレイ本体１０をユーザの所望する位置に旋回させることが可能である。
【００９０】
本実施形態では、上記のように、台座部３０の内部に配置されたステッピングモータ５２と、台座部３０の内部に配置され、ステッピングモータ５２の駆動力を伝達するための伝達ギア部５１とを備えるように構成することによって、小型化が困難な伝達ギア部５１と伝達ギア部５１の駆動源であるステッピングモータ５２とを共に台座部３０の外部に配置する場合と異なり、伝達ギア部５１と伝達ギア部５１の駆動源であるステッピングモータ５２とを共に台座部３０の内部に収納することができるので、サイズの大きな伝達ギア部５１を設計上容易に配置することができる。
【００９１】
また、本実施形態では、水平面内で左右方向（図１の矢印Ａ方向および矢印Ｂ方向）に回動可能でかつ垂直面に対して前後方向（図１の矢印Ｃ方向および矢印Ｄ方向）に回動可能にディスプレイ本体１０を支持する表示画面支持部材８１と、台座部３０側に配置され、伝達ギア部５１と水平方向に噛合するラックギア６２を含むラックプレート６０と、ラックプレート６０を表示画面支持部材８１に対して水平面内で左右方向（図１の矢印Ａ方向および矢印Ｂ方向）に回動可能に連結する連結部材６３とを備えるとともに、ステッピングモータ５２の正逆回転（図６の矢印Ｅ１方向および矢印Ｆ１方向の回転）によりラックプレート６０が水平面内で矢印Ｐ方向および矢印Ｑ方向（図３参照）に往復移動されることに伴い、ラックプレート６０に連結された連結部材６３を介して表示画面支持部材８１が垂直面に対して所定の角度上下方向（図１の矢印Ｃ方向および矢印Ｄ方向）に回動されるように構成することによって、ディスプレイ本体１０の自重は、ディスプレイ本体１０の静止時および旋回動作時に関係なく、表示画面支持部材８１を介して旋回板３１に加えられる一方、ラックプレート６０およびラックギア６２を介して水平方向に噛合されたギア部５５を含めた伝達ギア部５１へは加えられないので、伝達ギア部５１によるステッピングモータ５２の駆動力の伝達を円滑に行うことができる。
【００９２】
また、本実施形態では、ラックプレート６０を、水平面内での矢印Ｐ方向および矢印Ｑ方向（図３参照）の往復移動に加えて、表示画面支持部材８１の水平面内での左右方向（図１の矢印Ａ方向および矢印Ｂ方向）の回動動作に伴い、水平面内で矢印Ｕ１方向および矢印Ｕ２方向（図３参照）に揺動可能であるように構成することによって、表示画面支持部材８１が水平面内で左右方向（図１の矢印Ａ方向および矢印Ｂ方向）に回動された状態で表示画面支持部材８１を垂直面３５０に対して前後方向（図４の矢印Ｃ方向および矢印Ｄ方向）に回動させる場合も、ラックプレート６０を水平面内での矢印Ｐ方向および矢印Ｑ方向（図３参照）の往復移動に加えて水平面内で矢印Ｕ１方向および矢印Ｕ２方向（図３参照）に揺動させることができるので、ラックプレート６０にねじれによる変形が発生することなく、容易に、表示画面支持部材８１を前後方向（図４の矢印Ｃ方向および矢印Ｄ方向）に回動させることができる。
【００９３】
また、本実施形態では、伝達ギア部５１を、ステッピングモータ５２の駆動力が所定値を超えた場合に、ステッピングモータ５２の駆動力を遮断するトルクリミッタ７０を含むように構成することによって、ディスプレイ本体１０が垂直方向に旋回している際に不意な外力などによって旋回動作が阻止された場合や、ディスプレイ本体１０が旋回角度範囲の最大値に到達して旋回動作が停止された場合は、回転が継続されているステッピングモータ５２の駆動力をトルクリミッタ７０によって遮断することができるので、ステッピングモータ５２の駆動力が伝達ギア部５１に伝達されない。したがって、ステッピングモータ５２の駆動力が所定のトルク値を超えた場合の無理な回転に伴う伝達ギア５１の破損を抑制することができる。
【００９４】
また、本実施形態では、ステッピングモータ５２を、ステッピングモータ５２の駆動軸に圧入されたウォームギア５７を介してステッピングモータ５２の駆動力を伝達ギア部５１に伝達するように構成することによって、不意な外力などによってディスプレイ本体１０が回動されることに伴い伝達ギア部５１が、ギア５５、ギア５４、トルクリミッタ７０およびギア５３の順に順次駆動された場合でも、ギア５５、ギア５４、トルクリミッタ７０およびギア５３の回転がウォームギア５７を回転させることはできないので、ステッピングモータ５２以外の駆動力によってステッピングモータ５２が逆に駆動されてしまうことを抑制することができる。
【００９５】
また、本実施形態では、連結部材６３を、表示画面支持部材８１は、連結部材６３が連結される孔８１ｆを含み、表示画面支持部材８１の孔８１ｆは、表示画面支持部材８１の水平面内での回動方向（図３の矢印Ｇ１方向および矢印Ｇ２方向）の回動中心を通る垂直な線分３００（図４の１点鎖線）上に設けられるように構成することによって、ディスプレイ本体１０が水平面内で左右方向（図１の矢印Ａ方向および矢印Ｂ方向）に旋回された場合でも、連結部材６３は表示画面支持部材８１の水平面内での回動方向（図３の矢印Ｇ１方向および矢印Ｇ２方向）の回動中心（図３の位置Ｒ）に位置するので、ラックプレート６０は水平面内での移動方向（図３の矢印Ｐ方向および矢印Ｑ方向）と交差する方向（図３の矢印Ｕ１方向および矢印Ｕ２方向）に揺動されない。また、ディスプレイ本体１０が水平面内で左右方向（図１の矢印Ａ方向および矢印Ｂ方向）に旋回された状態から、さらに上下方向（図１の矢印Ｃ方向および矢印Ｄ方向）に旋回された場合に限り、連結部材６３は水平面内での回動時の回動中心（図２６の位置Ｒ）を基準点としてディスプレイ本体１０を上下方向に回動させる方向（図２６の矢印Ｓ方向および矢印Ｔ方向）に移動（回動）を開始するので、連結部材６３に連結されたラックプレート６０の揺動範囲は、連結部材６３が移動を開始する基準点（図２６の位置Ｒ）を中心に略前方向（図２６の矢印Ｐ方向）および後ろ方向（図２６の矢印Ｑ方向）にほぼ等しい範囲で移動（揺動）される。したがって、ディスプレイ本体１０を上下方向に旋回させる際のラックプレート６０の水平面内での揺動範囲（図２６の位置Ｒを中心に、図２７の水平距離Ｌ３までと、図２８の水平距離Ｌ４までとの範囲）を最小限に抑制することができる。
【００９６】
また、本実施形態では、ラックプレート６０は、連結部材６３を水平面内で左右方向（図１の矢印Ａ方向および矢印Ｂ方向）に回動可能でかつ垂直面に対して上下方向（図１０の矢印Ｐ方向および図１１の矢印Ｑ方向とそれぞれ略直交する方向）に回動可能に支持する孔６１ｂを含み、ラックプレート６０の孔６１ｂを、ラックプレート６０と表示画面支持部材８１とが連結部材６３によって連結される際に、表示画面支持部材８１に向かう方向にしたがって孔径が広がるように孔６１ｂの内側面６１ｃがテーパ形状に形成されるように構成することによって、ディスプレイ本体１０が垂直面に対して上下方向（図１の矢印Ｃ方向および矢印Ｄ方向）に旋回される際に、ラックプレート６０の孔６１ｂの内側面６１ｃの形状によって、連結部材６３は容易に上下方向（図１の矢印Ｃ方向および矢印Ｄ方向）に回動される。したがって、ラップクレート６０と表示画面支持部材８１とが連結部材６３によって連結された状態での表示画面支持部材８１の旋回動作を円滑に行うことができる。
【００９７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９８】
たとえば、上記実施形態では、表示装置の一例としての液晶テレビジョンに表示画面旋回装置を設ける例を示したが、本発明はこれに限らず、有機ＥＬパネルなどの液晶パネル以外の表示画面部（表示パネル）を有する表示装置に表示画面旋回装置を設けるようにしてもよい。
【００９９】
また、上記実施形態では、連結部材６３をラックプレート６０とは別部材とするとともに、連結部材６３をラックプレート６０の孔６１ｂに挿入した上で表示画面支持部材８１のアーム部８１ｅにかしめ加工によって取り付ける例を示したが、本発明はこれに限らず、連結部材６３に代えて、ラックプレートのプレート部材から上方に切り起こされることによってプレート部材と一体的に形成された連結部を設けるとともに、このプレート部材の連結部を表示画面支持部材のアーム部に回動可能に係合させるように構成してもよい。
【０１００】
また、上記実施形態では、水平旋回駆動部４０および垂直旋回駆動部５０の駆動源としてステッピングモータ４２および５２をそれぞれ設ける例を示したが、本発明はこれに限らず、１つの駆動源によって水平旋回駆動部および垂直旋回駆動部の両方を駆動させるようにしてもよい。
【０１０１】
また、本実施形態では、ラックプレート６０を板金製のプレート部材６１に樹脂製のラックギア６２をネジ９０によって取り付ける例を示したが、本発明はこれに限らず、板金加工または樹脂成形などによって、プレート部とラックギア部とが一体的に形成されたラックプレートを適用するようにしてもよい。
【０１０２】
また、本実施形態では、ディスプレイ本体１０を水平面内で左右方向（図１の矢印Ａ方向およびＢ方向）にそれぞれ３０度ずつ旋回（回動）させるとともに、垂直面に対して上下方向（図１の矢印Ｃ方向およびＤ方向）にそれぞれ１０度ずつ旋回（回動）させる例を示したが、本発明はこれに限らず、ディスプレイ本体を左右方向に３０度以外の所定の旋回角度で旋回（回動）させるとともに、上下方向に１０度以外の所定の旋回角度で旋回（回動）させるようにしてもよい。
【図面の簡単な説明】
【０１０３】
【図１】本発明の一実施形態による表示画面旋回装置が設けられた液晶テレビジョンの全体構成を示した斜視図である。
【図２】図１に示した本発明の一実施形態による表示画面旋回装置が設けられた液晶テレビジョンの分解斜視図である。
【図３】図１に示した本発明の一実施形態による表示画面旋回装置の平面図である。
【図４】図１に示した本発明の一実施形態による表示画面旋回装置の構成を説明するための断面図である。
【図５】図１に示した本発明の一実施形態による表示画面旋回装置の詳細構造を説明するための分解斜視図である。
【図６】図１に示した本発明の一実施形態による表示画面旋回装置の垂直旋回駆動部の伝達ギア部の配置構成を説明するための図である。
【図７】図１に示した本発明の一実施形態による表示画面旋回装置の水平旋回駆動部の伝達ギア部の配置構成を説明するための図である。
【図８】図１に示した本発明の一実施形態によるラックプレートのプレート部材を示した図である。
【図９】図１に示した本発明の一実施形態によるラックプレートのプレート部材および表示画面支持部材の一部を拡大して示した図である。
【図１０】図１に示した本発明の一実施形態による表示画面支持部材が前後（上下）方向に回動する際の表示画面支持部材とラックプレートとの係合状態を示した図である。
【図１１】図１に示した本発明の一実施形態による表示画面支持部材が前後（上下）方向に回動する際の表示画面支持部材とラックプレートとの連結状態を示した図である。
【図１２】図１に示した本発明の一実施形態によるラックプレートのラックギアを示した図である。
【図１３】図１に示した本発明の一実施形態による表示画面支持機構および旋回板の構造を示した分解斜視図である。
【図１４】図２の２００−２００線に沿った断面図である。
【図１５】図２に示した本発明の一実施形態による表示画面支持機構の表示画面支持部材とラックプレートとの連結状態を示した図である。
【図１６】図２に示した本発明の一実施形態による表示画面支持機構の垂直支持部材の正面図である。
【図１７】図２に示した本発明の一実施形態による表示画面支持機構の抜止部材を示した図である。
【図１８】図１に示した本発明の一実施形態による表示画面旋回装置の前後（上下）方向の旋回動作を説明するための図である。
【図１９】図１に示した本発明の一実施形態による表示画面旋回装置の前後（上下）方向の旋回動作を説明するための図である。
【図２０】図１に示した本発明の一実施形態による表示画面旋回装置の前後（上下）方向の旋回動作を説明するための図である。
【図２１】図１に示した本発明の一実施形態による表示画面旋回装置の前後（上下）方向の旋回動作を説明するための図である。
【図２２】図１に示した本発明の一実施形態による表示画面旋回装置の前後（上下）方向の旋回動作を説明するための図である。
【図２３】図１に示した本発明の一実施形態による表示画面旋回装置の前後（上下）方向の旋回動作を説明するための図である。
【図２４】図１に示した本発明の一実施形態による表示画面旋回装置の左右方向の旋回動作を説明するための図である。
【図２５】図１に示した本発明の一実施形態による表示画面旋回装置の左右方向の旋回動作を説明するための図である。
【図２６】図１に示した本発明の一実施形態による表示画面旋回装置の前後（上下）方向および左右方向の旋回動作を説明するための図である。
【図２７】図１に示した本発明の一実施形態による表示画面旋回装置の前後（上下）方向および左右方向の旋回動作を説明するための図である。
【図２８】図１に示した本発明の一実施形態による表示画面旋回装置の前後（上下）方向および左右方向の旋回動作を説明するための図である。
【符号の説明】
【０１０４】
１０    ディスプレイ本体（表示画面部）
３０    台座部
３１    旋回板
５１    伝達ギア部
５２    ステッピングモータ（駆動源）
５７    ウォームギア
６０    ラックプレート
６１ｂ  孔（第２の孔）
６１ｃ  内側面
６２    ラックギア
６３    連結部材（連結部）
７０    トルクリミッタ
８１    表示画面支持部材
８１ｆ  孔（第１の孔）
【図１】
2008116771.tif 000003
【図２】
2008116771.tif 000004
【図３】
2008116771.tif 000005
【図４】
2008116771.tif 000006
【図５】
2008116771.tif 000007
【図６】
2008116771.tif 000008
【図７】
2008116771.tif 000009
【図８】
2008116771.tif 000010
【図９】
2008116771.tif 000011
【図１０】
2008116771.tif 000012
【図１１】
2008116771.tif 000013
【図１２】
2008116771.tif 000014
【図１３】
2008116771.tif 000015
【図１４】
2008116771.tif 000016
【図１５】
2008116771.tif 000017
【図１６】
2008116771.tif 000018
【図１７】
2008116771.tif 000019
【図１８】
2008116771.tif 000020
【図１９】
2008116771.tif 000021
【図２０】
2008116771.tif 000022
【図２１】
2008116771.tif 000023
【図２２】
2008116771.tif 000024
【図２３】
2008116771.tif 000025
【図２４】
2008116771.tif 000026
【図２５】
2008116771.tif 000027
【図２６】
2008116771.tif 000028
【図２７】
2008116771.tif 000029
【図２８】
2008116771.tif 000030